(57)【要約】      （修正有）【課題】不使用時のシュレッダ自体の占有面積を有効に活用し得ることで、オフィスや部屋内の空間を有効に活用し得るシュレッダを提供する。【解決手段】シュレッダ１は、紙類等を細断するための細断刃を有する細断機構を収容する細断部２と、紙等からなる屑を投入するための屑投入口３と、細断部２によって細断された屑及び屑を収容し得る屑収容部４とを分離不能に具備するものであって、屑収容部４と外部とを前記屑投入口３を介して連通させた屑投入状態Ｐと、屑投入口３を閉止しつつ細断機構を使用し得る細断状態とを平面視における占有面積を変えずに切換え得る切換機構としての水平スライド機構Ｘ１を具備する。【選択図】図１
2011136327.tif 000002
【特許請求の範囲】
【請求項１】
紙類等を細断するための細断刃を有する細断機構を収容する細断部と、
紙等からなる屑を投入するための屑投入口と、
前記細断部によって細断された屑及び前記屑を収容し得る屑収容部とを具備するシュレッダであって、
前記屑収容部と外部とを前記屑投入口を介して連通させた屑投入状態と、前記屑投入口を閉止しつつ前記細断機構を使用し得る細断状態とを平面視における占有面積を変えずに択一的に切換え得る切換機構を具備することを特徴とするシュレッダ。
【請求項２】
紙類等を細断するための細断刃を有する細断機構を収容する細断部と、
紙等からなる屑を投入するための屑投入口と、
前記細断部によって細断された屑及び前記屑を収容し得る屑収容部とを分離不能に具備するシュレッダであって、
前記屑収容部と外部とを前記屑投入口を介して連通させた屑投入状態と、前記屑投入口を閉止しつつ前記細断機構を使用し得る細断状態とを平面視における占有面積を変えずに切換え得る切換機構を具備することを特徴とするシュレッダ。
【請求項３】
前記屑投入口を遮蔽する遮蔽板をさらに有するものであり、
前記切換機構が、前記遮蔽板を動作させ得る遮蔽板動作機構である請求項１または２記載のシュレッダ。
【請求項４】
前記細断部が細断するための前記紙類等を挿入する細断口を有するものであり、
前記遮蔽板動作機構が屑投入状態で細断口を遮蔽する位置に前記遮蔽板を位置付ける細断口遮蔽機構である請求項３記載のシュレッダ。
【請求項５】
前記屑収容部が、前記細断部によって細断された細断屑を収容し得る細断屑収容領域と、当該細断屑収容領域とは仕切られ前記屑投入口へ前記屑を投入させ得る屑投入領域とを有している請求項３または４記載のシュレッダ。
【請求項６】
前記屑収容部が前記細断部及び前記屑投入口の下方に設けられた抽斗内に位置付けられるものであり、
前記屑投入領域が、前記抽斗に対し着脱可能に設けられた屑箱内に位置付けられている請求項５記載のシュレッダ。
【請求項７】
当該屑箱が、前記屑投入口から出し入れ可能に設けられている請求項６記載のシュレッダ。
【請求項８】
前記抽斗における前記細断屑収容領域の縁部に、上下方向に切り欠いたスリットが形成されている請求項６または７記載のシュレッダ。
【請求項９】
前記遮蔽板が、前記屑投入状態で前記屑投入口へ連続する屑案内面を有している請求項４、５、６、７または８記載のシュレッダ。
【請求項１０】
前記細断部が前記細断刃を屑収容部に連通させるための細断屑排出口を有するものであり、
前記遮蔽板動作機構が、屑投入状態で細断屑排出口を遮蔽する位置に前記遮蔽板を位置付ける排出口遮蔽機構である請求項３記載のシュレッダ。
【請求項１１】
前記切換機構が、前記細断部を動作させ得る細断部動作機構である請求項１または２記載のシュレッダ。
【請求項１２】
前記細断刃動作機構が、前記細断部を屑投入口を遮蔽する位置まで動作させ得る投入口遮蔽機構である請求項１１記載のシュレッダ。
【請求項１３】
前記細断部及び前記屑収容口が上方に面して設けられたものであり、
前記投入口遮蔽機構が、前記屑収容口を前記細断部で遮蔽した前記細断状態と、前記細断部を前記屑収容口を開口させる位置まで退避させた前記屑投入状態との間で水平スライド可能に動作させ得る水平スライド機構である請求項１２記載のシュレッダ。
【請求項１４】
前記細断部が細断するための前記紙類等を挿入する細断口を有するものであり、
前記水平スライド機構が、前記屑投入状態で前記細断口を隠蔽する位置に位置付けるものである請求項１３記載のシュレッダ。
【請求項１５】
前記細断部が上方に面して設けられたものであり、
前記投入口遮蔽機構が、前記細断部を前記屑収容部上に載置した前記細断状態と、この細断状態から前記細断部を上方へスライドさせることにより前記細断部と前記屑収容部との間に屑投入口を形成した前記屑投入状態との間で上下スライド可能に動作させ得る上下スライド機構である請求項１３記載のシュレッダ。
【発明の詳細な説明】
【技術分野】
【０００１】
本発明は、紙類を細断するためのシュレッダに関するものである。
【背景技術】
【０００２】
従来、書類やメディアといった書類等を廃棄する際に、その内容或いは記録されたデータを判別不能に廃棄する目的で、これらを細かく細断、すなわち細断して廃棄するためのシュレッダが、オフィスにおいては規模の大小を問わず、また一般家庭にまでも広く用いられている。
【０００３】
また近年のシュレッダではその多くが、書類等を細断する細断刃を収容する細断刃収容部と細断屑を収容する抽斗状の屑入れや収容袋を取り付けておくための屑収容部とを分離不能に設けている。そうすることにより、細断刃収容部における細断屑の排出側が常に屑収納部に臨むようにして、細断刃が外方に向けて露出してしまうことを防止している。加えて、前記屑入れの位置や書類等の挿入位置など、所定の要件を正しく満たさない限り細断刃の動作を禁止することにより、細断刃が動作可能な状態では直接細断刃に触れることを禁止するという所謂インタロック機構も略全ての機種に導入されている(例えば、特許文献１、非特許文献１参照)。これらの構成を採用することにより、細断刃が書類等を細断するとき以外で不意に動作してしまう不具合が起こる可能性を排除している。
【０００４】
そして、上述した特許文献１には、シュレッダの前側に設けたドアを開いた時に前方にゴミを投入し得る投入口を形成することで、シュレッダを一時的に屑入れとして利用することができる態様が開示されている。
【先行技術文献】
【特許文献】
【０００５】
【特許文献１】特開２００５−９５８９８号公報
【非特許文献】
【０００６】
【非特許文献１】「コクヨ２００９総合カタログ」、ステーショナリー編、コクヨ株式会社、２００８年１２月発行、Ｐ．４６４〜４７４）
【発明の概要】
【発明が解決しようとする課題】
【０００７】
しかしながら、これまでのオフィスや一般家庭では、シュレッダによって実際に紙類を細断している時間というものは業務時間又は生活時間全体から見れば、ほんの僅かな時間でしかないという視点に立ってみれば、シュレッダが使用していない時間というのは、シュレッダは単にオフィスや部屋内に、ただ単に一定面積を占有しているのみのものと捉えられてしまっているのが現状である。そして特許文献１に記載したようなものでは、屑入れとして使用する際には投入口の占有面積だけシュレッダ自体の平面視の占有面積を一時的に増大させなければならないものである。そのため、結局は上記同様、使用されていないシュレッダがオフィスや部屋内の一定面積を占有し続けているという点は何ら改善されていないというのが現状である。
【０００８】
本発明は、このような不具合に着目したものであり、不使用時のシュレッダ自体の占有面積を有効に活用し得ることで、オフィスや部屋内の空間を有効に活用し得るシュレッダを提供することを目的としている。
【課題を解決するための手段】
【０００９】
本発明は、このような目的を達成するために、次のような手段を講じたものである。すなわち本発明に係るシュレッダは、紙類等を細断するための細断刃を有する細断機構を収容する細断部と、紙等からなる屑を投入するための屑投入口と、前記細断部によって細断された屑及び前記屑を収容し得る屑収容部とを具備するシュレッダであって、前記屑収容部と外部とを前記屑投入口を介して連通させた屑投入状態と、前記屑投入口を閉止しつつ前記細断機構を使用し得る細断状態とを平面視における占有面積を変えずに択一的に切換え得る切換機構を具備することを特徴とする。
【００１０】
また本発明に係るシュレッダは、紙類等を細断するための細断刃を有する細断機構を収容する細断部と、紙等からなる屑を投入するための屑投入口と、前記細断部によって細断された屑及び前記屑を収容し得る屑収容部とを分離不能に具備するシュレッダであって、前記屑収容部と外部とを前記屑投入口を介して連通させた屑投入状態と、前記屑投入口を閉止しつつ前記細断機構を使用し得る細断状態とを平面視における占有面積を変えずに切換え得る切換機構を具備することを特徴とする。
【００１１】
これらようなものであれば、オフィスや一般家庭における大部分の時間においては、シュレッダが占有している面積は、切換機構によって屑投入状態として屑入れとして有効に利用される領域とすることができる。すなわち、シュレッダの占有面積は、常に屑入れとしての作用を奏するか、シュレッダとしての作用を奏していることとなる。そうすることにより、オフィスや部屋内のスペースを無駄にすることなく有効に活用し得るシュレッダを提供することが可能である。
【００１２】
そして、切換機構を簡素な構成で実現するためには、屑投入口を遮蔽する遮蔽板をさらに有するものとし、この切換機構を、前記遮蔽板を動作させ得る遮蔽板動作機構としたものを挙げることができる。
【００１３】
そして、遮蔽板を有効に利用することにより、屑投入状態での細断機構の使用を、外観上も構成上も有効に禁止するための構成として、細断部を、細断するための紙類等を挿入する細断口を有するものとして、遮蔽板動作機構を、屑投入状態で細断口を遮蔽する位置に前記遮蔽板を位置付ける細断口遮蔽機構とすることが望ましい。
【００１４】
ここで一般に、屑入れとシュレッダとをオフィスや家庭にてそれぞれ使用する場合を考えると、屑入れ内にたまった屑を廃棄する機会と、細断部によって細断された細断屑を廃棄する機会とは、それぞれ同じタイミングで行なわれるとは限られない。つまり、オフィスによってはそれぞれのタイミングが大きく異なることにより、屑入れとして捨てた屑のみ、或いは細断屑のみを廃棄したいという場合も考えられる。
【００１５】
そこで本発明に係るシュレッダは上記構成のもと、前記屑収容部が、前記細断部によって細断された細断屑を収容し得る細断屑収容領域と、当該細断屑収容領域とは仕切られ前記屑投入口へ前記屑を投入させ得る屑投入領域とを有していることを特徴としている。
【００１６】
このようなものであれば、互いに仕切られた細断屑収容領域と屑投入領域内にある細断屑或いは屑のうち何れかのみを所要のタイミングで廃棄することが可能となる。そうすることにより、使用者は通常の業務や生活のサイクルの中で、違和感の無い細断屑並び屑の廃棄作業を行なうことが可能となる。
【００１７】
そして、細断屑や屑の廃棄作業を行ない易くするための具体的な構成として、屑収容部を前記細断部及び前記屑投入口の下方に設けられた抽斗内に位置付け、屑投入領域を、抽斗に対し着脱可能に設けられた屑箱内に位置付けるようにすることが望ましい。
【００１８】
また、屑投入口へ捨てた屑のみを簡便に廃棄し得るようにするためには、屑箱を、屑投入口から出し入れ可能に設けるようにすることが望ましい。
【００１９】
そして細断屑を廃棄し易くするために細断屑を収容しておく容器には別体の袋を取り付けておくことが一般に行なわれるが、抽斗における前記細断屑収容領域の縁部に、上下方向に切り欠いたスリットを形成しておけば、そのスリットに袋を掛け止めることにより、確実な袋の取付けが可能になる。
【００２０】
そして、屑投入口への屑の投入を簡便に行ない得るものとするためには、遮蔽板に、屑投入状態で屑投入口へ連続する屑案内面を設けておくことが好ましい。
【００２１】
また、屑投入状態において、屑投入口を介したシュレッダの内部からの細断機構へのアクセスを有効に禁止するための構成として、細断部が前記細断刃を屑収容部に連通させるための細断屑排出口を有するとして、遮蔽板動作機構を、屑投入状態で細断屑排出口を遮蔽する位置に前記遮蔽板を位置付ける排出口遮蔽機構とした態様を挙げることができる。
【００２２】
他方、細断状態と屑投入状態とを確実に切り換えつつ何れの状態であるかを明確に視認し得るものとするためには、切換機構を、細断部を動作させ得る細断部動作機構とすることが望ましい。
【００２３】
細断状態で屑投入口からの屑の投入を禁止する構成を単純な構成で実現するためには、細断刃動作機構を、細断部を屑投入口を遮蔽する位置まで動作させ得る投入口遮蔽機構としておくことが望ましい。
【００２４】
投入口遮蔽機構を構成するための具体的な態様の一例としては、細断部及び前記屑収容口をシュレッダの上方に面して設けたものとして、この投入口遮蔽機構を屑収容口を細断部で遮蔽した細断状態と、細断部を屑収容口を開口させる位置まで退避させた屑投入状態との間で水平スライド可能に動作させ得る水平スライド機構としているものを挙げる事ができる。
【００２５】
屑投入状態での細断機構の使用を禁止するための構成を簡素な構成で実現するためには、この水平スライド機構を、屑投入状態で紙類等を挿入する細断口を隠蔽する位置に位置付けるものとしておくことが望ましい。
【００２６】
また、投入口遮蔽機構を構成するための具体的な他の態様としては、細断部がシュレッダの上方に面して設けたものとして、投入口遮蔽機構を、細断部を屑収容部上に載置した細断状態と、この細断状態から前記細断部を上方へスライドさせることにより細断部と屑収容部との間に屑投入口を形成した屑投入状態との間で上下スライド可能に動作させ得る上下スライド機構としたものを挙げることができる。
【発明の効果】
【００２７】
本発明によれば、シュレッダの占有面積は、常に屑入れとしての作用を奏するか、シュレッダとしての作用を奏していることとなる。その結果、オフィスや部屋内のスペースを無駄にすることなく有効に活用し得るシュレッダを提供することができる。
【図面の簡単な説明】
【００２８】
【図１】本発明の一実施形態に係るシュレッダの外観図。
【図２】同シュレッダの他の外観図。
【図３】同上。
【図４】図１に対応したシュレッダの中央側断面図。
【図５】図２に対応したシュレッダの中央側断面図。
【図６】図３に対応したシュレッダの中央側断面図。
【図７】同実施形態の変形例に係るシュレッダの説明図。
【図８】本発明の第２実施形態に係るシュレッダの外観図。
【図９】同シュレッダの他の外観図。
【図１０】図８に対応したシュレッダの中央側断面図。
【図１１】図９に対応したシュレッダの中央側断面図。
【図１２】同実施形態の変形例に係るシュレッダの外観図。
【図１３】同シュレッダの他の外観図。
【図１４】図１２に対応したシュレッダの中央側断面図。
【図１５】本発明の第３実施形態に係るシュレッダの外観図。
【図１６】同正面図。
【図１７】同平面図。
【図１８】同他の外観図。
【図１９】同シュレッダの部分断面図。
【図２０】同構成説明図。
【図２１】図要部の外観図。
【図２２】同要部の構成説明図。
【図２３】同作用説明図。
【図２４】本発明の第４実施形態に係るシュレッダの外観図。
【図２５】本発明の第５実施形態に係るシュレッダの外観図。
【図２６】本発明の第６実施形態に係るシュレッダの外観図。
【発明を実施するための形態】
【００２９】
＜第１実施形態＞
以下、本発明の一実施の形態について図面を参照して説明する。
【００３０】
本実施形態に係るシュレッダ１は、図１ないし図６に示すように、ハウジング１０と、ハウジング１０内部に搭載された細断機構Ｓと、細断機構Ｓによって細断された細断屑をハウジング１０内で収容し、この収容屑をハウジング１０外へ運搬するための屑入れ８とを有しているほかに、従来のシュレッダ１同様に、細断機構Ｓに給電するための図示しない給電部や細断機構Ｓを制御・操作するための図示しない操作部を備える他、屑入れ８がハウジング１０に対する所定の位置に位置付けられていない場合等では細断機構Ｓに給電しないようにする等して細断機構Ｓの不意な作動を禁止する等、使用者が動作可能な状態にある細断刃Ｓ１に触れてしまう可能性を排除するための図示しない電気的または機械的なインタロック機構を備えたものである。
【００３１】
ここで、本実施形態に係るシュレッダ１は、紙類等を細断するための細断刃ｓを有する細断機構Ｓを収容する細断部２と、紙等からなる屑を投入するための屑投入口３と、細断部２によって細断された屑及び屑を収容し得る屑収容部４とを、例えば分離不能に、具備するものであって、屑収容部４と外部とを前記屑投入口３を介して連通させた屑投入状態（Ｐ）と、屑投入口３を閉止しつつ細断機構Ｓを使用し得る細断状態（Ｑ）とを平面視における占有面積を変えずに切換え得る切換機構としての水平スライド機構Ｘ１を具備することを特徴とするものである。詳細には、この水平スライド機構Ｘ１は、屑投入状態（Ｐ）及び細断状態（Ｑ）の一方を択一的に選択、すなわち細断或いはゴミ捨てのうち、一方としての使用を選択した状態では、他方としての使用を禁止された状態とするものである。
【００３２】
以下、シュレッダ１の構成について説明する。
【００３３】
シュレッダ１は、図１ないし図６に示すように、シュレッダ１自体の外形をなすハウジング１０と、紙類を細断し得る細断刃ｓを有する細断機構Ｓと、ハウジング１０内に貯まった細断屑や他の紙屑等を入れた状態でハウジング１０外へ排出するための抽斗形状の屑入れ８とを有しており、細断機構Ｓ及び屑入れ８については、概ね従来のものと同様の構成をなしたものを採用している。
【００３４】
ハウジング１０は、同図に示すように、概略直方体形状をなすものである。そしてこのハウジング１０は、上端近傍に位置付けられた細断機構Ｓを収容するための細断部２と、ハウジング１０上面に設けた開口である屑投入口３と、細断部２及び屑投入口３から下方に位置付けられた屑収容部４とを有している。
【００３５】
細断部２は、本実施形態では細断刃ｓを有する細断機構Ｓを収容するものであり、上面側では細断刃ｓにまで紙類を案内するための細断口２１と、下方に細断した細断屑を屑収容部４へと排出・落下させるための排出口２２を有している。また本実施形態の細断部２は、細断機構Ｓのみを収容する態様に限られることはなく、この細断機構Ｓの他、図示しない機構部品、すなわちシュレッダ１に搭載し、シュレッダ１自体を制御するための電気的な機構部品等を収容したものとしても良い。
【００３６】
屑投入口３は、本実施形態では、上面の前半部分に設けられ、その開口面積は、上面の前半部分を概ね開口させるまでの面積を開口させて、シュレッダ１の前側からの屑の投入が行ない易いものとなっている。なお、本実施形態ではこの屑投入口３を上面の前半部分に位置付けているが、勿論上面の後半部分に位置付けて細断部２を前方であったり、斜め前方へスライドさせることにより屑投入口３を開口させる態様や、ハウジング１０上面の左側または右側に配置したものとして、細断部２を左右方向であったり、上下に傾斜させつつ巾方向に動作させる態様を適用しても良い。
【００３７】
屑収容部４はハウジング１０の下部において上記細断部２及び屑投入口３からの細断屑や他の屑を収容し得る領域である。この屑収容部４は本実施形態では、細断部２が設けられているハウジング１０の上面から所定距離下方に離間した、破線で直方体形状で示されるハウジング１０内の一定領域としている。そしてこの屑収容部４内に正しく屑入れ８を配置することによって下方への細断屑や他の屑の脱落を防止し得るものとなっている。
【００３８】
しかして本実施形態では、細断部２を水平方向にスライド移動させるための水平レール部５をハウジング１０に設け、この水平レール部５と細断部２とによって、細断部２を上面に露出させた細断状態（Ｑ）と、細断部２の細断口２１を隠蔽するように細断部２を退避させ、上面に屑投入口３を開口させた屑投入状態（Ｐ）とを切換えるための、水平スライド機構Ｘ１を構成している。
【００３９】
水平レール部５は、本実施形態では、ハウジング１０の上端付近において両端からそれぞれ内方へリブを突出させることによって設けている。具体的には、そのリブが、細断部２の両端を上下から挟み込むように形成されたものとなっており、細断部２の上側の部分の両端をこのリブに沿って前後方向にスライド移動し得させ得るように構成しているものである。
【００４０】
そして図１及び図４に示すように、この水平レール部５に沿って細断部２を後方にスライドさせた状態とすると、細断部２の細断口２１は外方から隠蔽されるとともに、シュレッダ１はハウジング１０の上側に屑投入口３が露出・開口させた屑投入状態（Ｐ）を構成する。すなわち本実施形態の水平スライド機構Ｘ１は、屑投入状態（Ｐ）では細断口２１を遮蔽する細断口遮蔽機構としての作用も奏している。この屑投入状態（Ｐ）では、例えば図示しないインタロック機構によって細断機構Ｓが作動し得ない状態としても良い。他方、図２及び図５に示すように、細断部２を前方へスライド移動させると、屑投入口３が隠蔽されるとともに上面には細断口２１が露出し、またインタロック機構によって細断機構Ｓが作動し得る細断状態（Ｑ）を構成することとなる。そして図３及び図６は、屑投入状態（Ｐ）において屑入れ８をハウジング１０内の屑収容部４から引き出して細断屑や屑投入口３から入れられた屑を排出している状態を示しているが、本実施形態では、インタロック機構を作動させることによって、この屑投入状態（Ｐ）でのみ屑入れ８の引き出し動作を許容し得るものとしても良い。
【００４１】
以上のような構成とすることにより、本実施形態に係るシュレッダ１は、オフィスや一般家庭における大部分の時間においては、シュレッダ１が占有している面積は、切換機構である水平スライド機構Ｘ１によって屑投入状態（Ｐ）としてゴミ箱として有効に利用される領域とすることができる。すなわち、シュレッダ１の占有面積は、常にゴミ箱としての作用を奏するか、シュレッダ１としての作用を奏していることとなる。そうすることにより、オフィスや部屋内のスペースを無駄にすることなく、有効に活用し得るシュレッダ１を実現している。
【００４２】
そして本実施形態では、細断部２を動作させる構成を適用することにより、細断状態（Ｑ）と屑投入状態（Ｐ）とを確実に切換えつつ何れの状態であるかを明確に視認し得るものとなっている。
【００４３】
また本実施形態では細断部２によって直接屑投入口３を閉止するという単純な構成を持って、屑投入状態（Ｐ）と細断状態（Ｑ）を切換える構成を実現している。
【００４４】
そして本実施形態では、細断部２を水平方向にスライドさせる水平スライド機構Ｘ１を適用することにより、細断部２が収容している細断機構Ｓの重量に拘わらず、少ない操作力で屑投入状態（Ｐ）と細断状態（Ｑ）との切換えを実現し得るものとなっている。
【００４５】
特に本実施形態では屑投入状態（Ｐ）では細断口２１が遮蔽される態様を適用しているので、屑投入状態（Ｐ）での細断機構Ｓの使用を禁止するための構成を簡素な構成で実現し得たものとなっている。
【００４６】
＜変形例＞
以下に、本実施形態の変形例について説明するが、当該変形例並びに以降で説明する第２実施形態並びにその変形例については、上記実施形態と同様の構成要素に対して同じ符号を付すとともに、その詳細な説明を省略するものとする。
【００４７】
本変形例に係るシュレッダ１は、図７に示すように、屑投入状態（Ｐ）と、細断状態（Ｑ）とを平面視における占有面積を変えずに切換え得る切換機構として細断部２を動作させる細断部動作機構の構成を適用したもののうち、細断部２を上下方向にスライドさせ得る上下スライド機構Ｘ２の構成を適用したものである。
【００４８】
本変形例に係るシュレッダ１は、上記実施形態と同様の細断機構Ｓ及び屑入れ８を具備しているものであるが、ハウジング１０を細断部２とそれ以外の部位に二分する構成とし、このハウジング１０に上下スライド部６を設けることにより、この上下スライド部６と細断部２とによって、上部に設けた細断部２のみを他の部位から上下スライド可能に動作させ得る上下スライド機構Ｘ２を構成したものである。そしてこの上下スライド機構Ｘ２により細断部２を上端まで移動させた際には、細断部２の下方に屑収容部４にアクセスし得る屑投入口３を形成し得るものとなっている。
【００４９】
上下スライド部６は、下端をハウジング１０における屑収容部４近傍に支持されるとともに上端を細断部２に固定することにより細断部２を下方から支持する支持脚６２と、この支持脚６２を上下スライド可能に支持するレール溝６１とを有している。またこの上下スライド部６は、細断部２を動作上端位置で位置決めする為の図示しない位置決めのための構成要素も具備しているが、斯かる構成要素は既存の種々の態様を適用し得るので具体的な構成は省略する。また本変形例に係るシュレッダは、図示しない電気的なインタロック機構により細断部２を上端位置で位置決めした際には細断機構Ｓには通電されないのみならず、細断部２に別途図示しない機械的な構成を設けることにより、細断刃Ｓ１が排出口２２の下方から露出することを防止し得るものとしている。
【００５０】
細断部２は、本変形例ではハウジング１０の上面の略前面を占有するように配置されているとともに、下端の２箇所を前記支持脚６２に支持させたものとなっている。屑収容部４は、上記実施形態と同様、ハウジング１０の下部において上記細断部２及び屑投入口３からの細断屑や他の屑を収容し得る領域となっている。
【００５１】
屑投入口３は、本変形例では同図に示すとおり、細断部２を動作上端位置で位置決めした屑投入状態（Ｐ）とした場合にのみ、細断部２の下方周縁に形成される態様としている。しかし本変形例における屑投入口３の形状等の態様は、ハウジング１０に適宜立壁等を設けることにより、周辺の内何れかの方向に開口する構成としてもよい。
【００５２】
このようなものであっても、シュレッダ１が平面視で占有する占有面積を変化させることなく、屑投入状態（Ｐ）と細断状態（Ｑ）とを切換えることが可能である。しかも、上下スライド機構Ｘ２を適用すれば、上下のスライド寸法を適宜設定することによって、より大きく開口させた屑投入口３を形成することが可能である。
【００５３】
＜第２実施形態＞
続いて、本発明の第２実施形態に係るシュレッダ１について説明する。
【００５４】
本実施形態に係るシュレッダ１は、図８ないし図１１に示すように、上記実施形態のように細断部２によって屑投入口３を閉止する態様とは異なり、屑投入口３を閉止するための格別の構成要素として、遮蔽板７を設けた態様を適用したものである。そしてこのシュレッダ１は、屑投入状態（Ｐ）と、細断状態（Ｑ）とを平面視における占有面積を変えずに切換え得る切換機構としての遮蔽板動作機構のうち、細断口遮蔽機構Ｙ１を具備したものである。詳細には、この細断口遮蔽機構Ｙ１は、上記第1実施形態と同様に、屑投入状態（Ｐ）及び細断状態（Ｑ）の一方を選択、すなわちシュレッダとしての利用或いはゴミ箱としての利用のうち、一方としての使用を選択した状態では、他方としての使用を禁止された状態とするものである。
【００５５】
すなわち本実施形態に係るシュレッダ１は、上記実施形態と同様の細断機構Ｓ及び屑入れ８を具備しているものであるが、ハウジング１０が、細断部２と、屑投入口３と、屑収容部４に加え、上面側において回転動作可能に取り付けられた遮蔽板７を有するものとなっている。そしてハウジング１０が有する屑収容部４は上記実施形態並びに変形例同様、ハウジング１０の下部において上記細断部２及び屑投入口３からの細断屑や他の屑を収容し得る領域となっている。
【００５６】
細断部２は、上記実施形態及び変形例と同様に細断刃ｓを有する細断機構Ｓを収容するものであるが、本実施形態の細断部２は、ハウジング１０の上面の後半部分に固定れるとともに、細断口２１が露出する上端面を若干斜め前方へ傾斜させて設けることにより、前方からの細断口２１への紙類の挿入を行ないやすいものとしている。
【００５７】
屑投入口３は、本実施形態では、細断口２１よりも前方であるシュレッダ１の前半部分の略全て開口させ得るように形成している。
【００５８】
そして遮蔽板７は、ハウジング１０の上面においておよそ前後中間位置において両側に架け渡すように取り付けられる回転軸部７１と、この回転軸部７１を中心に回転する遮蔽板本体７０を有したものである。そしてこの遮蔽板７を後方に回動させて遮蔽板７を倒した状態では細断口２１を遮蔽するとともに前方の屑投入口３を開口させた屑投入状態（Ｐ）とし、遮蔽板７を前方に回動させて手前へ倒した状態では細断口２１を露出させるとともに屑投入口３を閉止する細断状態（Ｑ）とする、本実施形態に係る遮蔽板動作機構すなわち細断口遮蔽機構Ｙ１の主体をなすものである。なお、本実施形態では遮蔽板７を回転可能に構成したものとしているが、勿論、この遮蔽板７をスライド動作し得る態様としても良い。
【００５９】
すなわち、図８及び図１０に示すような屑投入状態（Ｐ）では、ハウジング１０上面の前半部分が屑投入口３として略開口した状態となり、好適に屑を投入し得る状態となる。そして同時に遮蔽板本体７０は細断部２の細断口２１を遮蔽しておくことで、外観上もシュレッダ１として使用し得ない状態であることを容易に判別することができる。他方図９及び図１１に示すような細断状態（Ｑ）では、細断口２１が露出しているとともに、遮蔽板本体７０は屑投入口３を閉止しているので、外観上もシュレッダ１として利用し得ることが容易に判別できる。また本変形例において、屑投入状態（Ｐ）では上記実施形態同様にインタロック機構を作動させて細断機構Ｓを電気的にも作動させ得ない状態としたり、この屑投入状態（Ｐ）でのみ屑入れ８をハウジング１０から出し入れし得るような構成としたりしても良い。
【００６０】
以上のように、本発明の第２実施形態に係るシュレッダ１であっても、上記実施形態同様に、オフィスや一般家庭における大部分の時間においては、シュレッダ１が占有している面積は、切換機構である細断口遮蔽機構Ｙ１によって屑投入状態（Ｐ）としてゴミ箱として有効に利用される領域とすることができる。
【００６１】
そして本実施形態では、この切換機構を、前記遮蔽板７を動作させ得る遮蔽板動作機構とすることによって、本発明の切換機構をさらに簡素な構成で実現している。
【００６２】
特に本実施形態では、屑投入状態（Ｐ）で細断口２１を遮蔽する位置に前記遮蔽板７を位置付ける細断口遮蔽機構Ｙ１を設けることにより、屑投入状態（Ｐ）での細断機構Ｓの使用を、外観上も構成上も有効に禁止している点を明確にしている。
【００６３】
＜変形例＞
本発明の第２実施形態の変形例に係るシュレッダ１は、屑投入状態（Ｐ）と、細断状態（Ｑ）とを平面視における占有面積を変えずに切換え得る切換機構としての遮蔽板７を動作させる遮蔽板動作機構の構成を適用している点では上記第２実施形態と同じであるが、本変形例では、遮蔽板７を動作させることにより細断部２の排出口２２を遮蔽する排出口遮蔽機構Ｙ２を適用したものである。また本変形例に係るシュレッダは、図示しない電気的なインタロック機構により細断部２を上端位置で位置決めした際には細断機構Ｓへの通電を禁止する構成も、別途採用している。
【００６４】
本変形例に係るシュレッダ１は、図１２ないし図１４に示すように、ハウジング１０の上面側の略全域に細断部２を設定するとともにハウジング１０上部の前面側に屑投入口３を開口させた態様のハウジング１０を採用している。そして屑投入口３を遮蔽し得る遮蔽板７をハウジング１０の内側に設けることにより、屑投入口３を閉止してシュレッダ１としての動作を可能とする細断状態（Ｑ）と、遮蔽板７を後上方へ回転させることにより屑投入口３を開口させる屑投入状態（Ｐ）とを切換える切換機構、遮蔽板動作機構としての、排出口遮蔽機構Ｙ２を適用しているものである。
【００６５】
遮蔽板７は、同図に示すように、ハウジング１０内部における前側上部に位置付けた回転軸部７１と、この回転軸部７１を中心に回転する遮蔽板本体７０とを有している。そして本変形例では、屑投入状態（Ｐ）として屑投入口３を開口させると、遮蔽板本体７０が細断部２の排出口２２を遮蔽することにより、たとえ屑投入口３から侵入させた物が上方へ向かっても、その物が排出口２２を介して細断機構Ｓへ干渉するという不具合を有効に回避し得たものとなっている。
【００６６】
このようなものであれば、屑投入状態（Ｐ）であっても、細断機構Ｓが排出口２２側からの干渉によって動作に支障を来たすことを有効に回避することができる。勿論、万が一屑投入口３から例えば誤って人の手や指が侵入してしまった場合であっても、排出口２２は遮蔽板７によって完全に閉止されているので、手や指が排出口２２を介して細断機構Ｓに触れてしまうという可能性を、排出口遮蔽機構Ｙ２によって、完全に排除している。
【００６７】
＜第３実施形態＞
続いて、本発明の第３実施形態に係るシュレッダ１について説明するが、当該実施例において、上記各実施形態並びに変形例に相当する構成については同じ符号を付すとともに、その詳細な説明を適宜省略するものとする。
【００６８】
本実施形態に係るシュレッダ１は、図１５ないし図２３に示すように、上記第２実施形態同様に、屑投入口３を閉止するための格別の構成要素として、遮蔽板７を設けた態様を適用したものである。そしてこのシュレッダ１は、屑投入状態（Ｐ）と、細断状態とを平面視における占有面積を変えずに切換え得る切換機構としての遮蔽板動作機構のうち、細断口遮蔽機構Ｙ１を具備したものである。詳細には、この細断口遮蔽機構Ｙ１は、上記各実施形態並びに変形例と同様に、屑投入状態（Ｐ）及び細断状態の一方を選択、すなわちシュレッダ１としての利用或いはゴミ箱としての利用のうち、一方としての使用を選択した状態では、他方としての使用を禁止された状態とするものである。
【００６９】
またシュレッダ１は、ハウジング１０が、上面前側に設けられた細断部２と、後ろ側に設けられた屑投入口３と、これら細断部２及び屑投入口３の下方に位置付けられた屑収容部４に加え、上面側において回転動作可能に取り付けられた遮蔽板７を有するものとなっている。そしてハウジング１０の下部において上記細断部２及び屑投入口３からの細断屑や他の屑を収容し得る屑収容部４は上記実施形態に係る屑入れ８に相当する抽斗８１を、ハウジング１０前方から挿抜可能に取り付けたものとしている。そして当該屑収容部４並びに抽斗８１については後に詳述する。
【００７０】
以下、シュレッダ１の各部の構成について説明する。
【００７１】
細断部２は、上記実施形態及び変形例と同様に細断刃を有する細断機構を収容するものであるが、本実施形態の細断部２は、ハウジング１０の上面の前半部分に固定されるとともに、細断口２１が露出する上端面を若干斜め前方へ傾斜させて設けた傾斜面２ａとすることにより、前方からの細断口２１への紙類の挿入を行ない易いものとしている。
【００７２】
屑投入口３は、本実施形態では、細断口２１よりも後方であるシュレッダ１の後半部分の略全て開口させ得るように形成している。また本実施形態では、当該屑投入口３の縁部を下方に向かって狭まるよう形成した案内傾斜面３ａを設けている。これにより、屑投入口３へ投入される屑が、より確実にハウジング１０内部の屑収容部４へと投入され得るようになっている。
【００７３】
ここで、本実施形態に係るシュレッダ１は、屑収容部４が、細断部２によって細断された細断屑を収容し得る細断屑収容領域４１と、当該細断屑収容領域４１とは抽斗８１を装着した状態で仕切られた、屑投入口３へ屑を投入させ得る屑投入領域４２とを有したものとしている。
【００７４】
そして本実施形態では、屑収容部４は、上部を破断して示した図１９に示すように、ハウジング１０に装着された抽斗８１内に位置付けられるようにしている。そして本実施形態では、抽斗８１の内部における後ろ側、つまり屑投入領域４２に該当する部分に屑箱８２を装着するとともに、この屑箱８２の前側に隣接するように袋止板８３を装着するようにしている。以下、抽斗８１、屑箱８２及び袋止板８３の構成について述べる。
【００７５】
抽斗８１は、抽斗８１の主体をなす概略箱状の抽斗本体８４と、抽斗本体８４の前側において前面に露出する化粧板８５と、この化粧板８５の幅方向中央に形成された把手８６と、抽斗本体８４及び化粧板８５の間に形成された前側スリット８７と、抽斗本体８４の前後方向中間部に形成された後側スリット８８と、抽斗本体８４の後方側面に形成された案内凸部８９とを有している。本実施形態では抽斗本体８４と化粧板８５とを別体に形成しているが、勿論一体に形成しても良い。抽斗８１において上下方向に切り欠かれて形成された前側スリット８７及び後側スリット８８は、屑箱８２装着時において屑箱８２の前側に細断屑を収容するにあたり、図示しない細断屑運搬用の袋の上端を掛け止めておくために形成したものである。勿論屑箱本体８２１に屑箱８２を装着しないときは、抽斗本体８４の上部全体に袋を掛ければよい。案内凸部８９は、屑箱８２を上方から挿入する際に当該屑箱８２を正確な位置へ案内、位置決めするためのものである。そしてこの案内凸部８９には、使用者は多少ずれた箇所から屑箱８２を挿入しても抽斗本体８４と屑箱８２との位置決めが正確になされるように、下方に向かって徐々に拡がるテーパ面８９ａを形成して、屑箱８２が下端に到達した状態では抽斗本体８４後端に隙間無く位置決めされるようにしている。
【００７６】
袋止板８３は、後側スリット８８に嵌め込まれ得る側面視Ｕ字型の樹脂板であり、この樹脂場側の内側面を、後側スリット８８に掛けた袋の縁を入れておくための縁受部としている。
【００７７】
屑箱８２は、抽斗８１内後端に位置付けられるように装着される上側が若干大きめに形成された開口をなす箱状のものであり、その開口が上記屑投入口３を通過し得るように形成された屑箱本体８２１と、この屑箱本体８２１の上端両側を回転可能に支持されるとともに架け渡された概略コの字状の持ち手８２３と、屑箱本体８２１の側面に形成された概略台形状の凹みである案内凹部８２２とを有している。そしてこの案内凹部８２２はその形状が上記案内凸部８９に対応させて形成されることにより、抽斗本体８４の概略後側半分の領域にがたつき無く位置決めされるとともに、案内凹部８２２にも案内凸部８９に対応したテーパ面８２２ａを形成することにより、抽斗本体８４に対するスムーズな挿抜が可能となっている。
【００７８】
そして遮蔽板７は、上記実施形態同様にハウジング１０における上端に位置付けられた板状のものであり、前側に倒した状態では後方の屑投入口３を開口させた屑投入状態（Ｐ）とし、遮蔽板７を後方に回動させて奥へ倒した状態では細断口２１を露出させるとともに屑投入口３を閉止する細断状態とするものである。すなわち上記実施形態同様に、本実施形態に係る遮蔽板動作機構すなわち細断口遮蔽機構Ｙ１の主体をなすものである。
【００７９】
遮蔽板７は、その両側端を軸支された半透明の樹脂による一体成型品であり、ハウジング１０の上面においておよそ前後中間位置において両側に架け渡すように取り付けられる回転軸部７１と、この回転軸部７１を中心に回転する遮蔽板７本体７０を有したものである。また遮蔽板７は前後方向に延びるリブ７０ａを複数本等間隔で設けることにより一定以上の強度を担保するとともに、上述の通り半透明とすることにより、細断状態において遮蔽された屑投入口３をある程度視認し得るようになっている。またこの遮蔽板７は側面視概略への字状に湾曲した形状をなしており、屑投入状態（Ｐ）において細断部２の傾斜面２ａをカバーし得る前側カバー面７ａとし、後側は後方に傾斜することにより、屑投入口３に連続する、詳細には屑投入口３の案内傾斜面３ａに連続する屑案内面７ｂとしている。そしてこの遮蔽板７は回転軸部７１近傍の位置において、屑投入状態（Ｐ）では上方に突出するロック作動部７２を形成している。このロック作動部７２によって、遮蔽板７を後方に回動させて遮蔽板７を倒した状態では屑投入口３を遮蔽するとともにハウジング１０側に設けたインタロック機構を解除させるための図示しないスイッチを押圧することにより、細断機構への通電を許可し得るものとなっている。なお本実施形態では、ハウジング１０と抽斗８１との間にも同様の突起並びにスイッチ設けられ、同じくインタロック機構を構成しているが、当該構成は既存の構成であるためにその説明を省略する。
【００８０】
しかして本実施形態では、図１９に示すように、屑投入領域４２が、抽斗８１に対し着脱可能に設けられた屑箱８２内に位置付けられていることにより、屑投入口３へ投入された屑は確実に屑箱８２内に収容される。
【００８１】
そしてこの屑箱８２が、上記の通り屑箱本体８２１の上端を屑投入口３よりも若干小さい寸法に形成されることにより、図２３に示すように、屑投入口３から上下に出し入れ可能に構成されたものとしている。このようにすることで、屑投入口３に投入した屑のみを速やかに廃棄したい場合には、図２３のように持ち手８２３を立て、上方に引っ張り上げることにより簡単に屑箱８２を抽斗８１から取り外し、ハウジング１０外へ運ぶことができる。またハウジング１０上方から屑投入口３を介して屑投入空間４２つまり抽斗本体８４の後端部分を視認することは困難であるが、抽斗本体８４に設けた案内凸部８９のテーパ面８９ａと案内凹部８２２に設けたテーパ面８２２ａが互いに当接しながら下方に下がるに従って案内凹部８２２を徐々に正確に位置決めしていくことにより、屑箱８２は正確に屑投入領域４２を覆う位置へ再び位置付けられる。
【００８２】
以上のように、本実施形態、すなわち本発明に係る第３実施形態によれば、上記第２実施形態同様に細断口遮蔽機構Ｙ１によって屑投入状態（Ｐ）としてゴミ箱として有効に利用される領域とすることができるのみならず、屑収容部４が細断屑収容領域４１と屑投入領域４２とに仕切られているため、細断屑収容領域４１と屑投入領域４２内にある細断屑或いは屑のうち何れかのみを所要のタイミングで廃棄することが可能となっている。その結果、使用者は通常の業務や生活のサイクルの中で、違和感の無い細断屑並び屑の廃棄作業を行なうことが可能なものとなっている。そうすることにより、本実施形態に係るシュレッダ１は設置したオフィス等のなかでの占有面積を節約しながら、ゴミ箱としての使用も、本来の紙類の細断のための使用も、いずれもスムーズに行なうことができるものとなっている。
【００８３】
そして細断屑や屑の廃棄作業を行ない易くするための具体的な構成として本実施形態では、屑収容部４を前記細断部及び前記屑投入口３の下方に設けられた抽斗８１内に位置付け、屑投入領域４２を、抽斗８１に対し着脱可能に設けられた屑箱８２内に位置付けるようにしている。これにより、屑投入口３に投入された屑は、抽斗８１からでも容易に廃棄することができる。
【００８４】
また、屑投入口３へ捨てた屑のみを簡便に廃棄し得るようにするために本実施形態では、屑箱８２を、屑投入口３から出し入れ可能にすることで、抽斗８１を利用することなく簡便に屑を廃棄することが可能となっている。
【００８５】
特に抽斗８１に前側スリット８７、後側スリット８８を形成しておくことによって細断屑を収容するための袋を取り付けた場合において、当該袋の取り扱いを容易且つスムーズに行えるようにしている。特に袋止板８３により、一度掛止めた袋の縁部が使用中にも不意にずれ難いものとなっている。
【００８６】
そして遮蔽板７に、屑投入状態（Ｐ）で屑投入口３へ連続する屑案内面を設けておくことで本実施形態に係るシュレッダ１は、屑投入口３への屑の投入を簡便に行ない得るものとなっている。
【００８７】
＜第4実施形態＞
上記第１乃至第３実施形態においては、細断部２と屑収容部４とを分離不能に構成したもののみを専ら開示したが、図２４に示すこの第４実施形態に係るシュレッダ１のように、ハウジング１０を分離、具体的には細断部２と屑収容部４とを分離することができ、且つ、屑投入状態（P）と細断状態（Q）とを、シュレッダ１自体の平面視の占有面積を変えずに択一的に選択し得るものとしてもよい。また同図に示す屑入れ８は、容量を大きくするために内部を仕切るための構成を排除しても良い。換言すれば当該屑入れ８は、単一の箱体によって形成されたものとしている。また上方の細断部２側には、屑収容部４を形成する屑入れ８から細断部２自体を分離させ易いように、把手２ｔを設けている。また本発明は図示のものに限られず、例えばハウジング１０の外枠や、屑入れ８から、その内部に存在する細断部２とを分離する態様としても良い。この場合、遮蔽板７は細断部２の端部に回転可能に取付けられ、細断部２の装着時のみハウジング１０の上面を覆い得るものとなる。
【００８８】
＜第５実施形態＞
また、上記第２実施形態では、ハウジング１０から引き出し可能に設けた屑入れ８の全部分を細断部２の下方に位置付けた態様を開示したが勿論、図２５に示す本第５実施形態のように細断部２を後方に配置するとともに屑投入口３を前方に配置したものであれば、引き出し状の屑入れ８を屑投入口３近傍まで上方に延出させることにより、より大きな容量を有する屑入れ８とすることができる。
【００８９】
＜第６実施形態＞
また、上記各実施形態では屑入れ８や抽斗８１の挿抜方向を前方としたもののみを開示した、が勿論、図２６に示すように側方に引き出し可能な抽斗８１としたり、図示しないが後方から引き出せる、屑入れ８や抽斗８１を構成したりしても良い。
【００９０】
同図のようなものであっても、上記第５実施形態の引き出し状の屑入れ８同様に、抽斗８１が細断部２に干渉することなく、屑投入口３近傍まで延出させて、抽斗８１の容量を有効に大きくすることができる。
【００９１】
以上、本発明の実施形態について説明したが、各部の具体的な構成は、上述した実施形態のみに限定されるものではなく、本発明の趣旨を逸脱しない範囲で種々変形が可能である。
【００９２】
例えば、上記実施形態では細断部を一定方向にスライド移動させる態様のみを開示したが、勿論、細断部を回転動作可能に構成したものであってもよい。加えて上記実施形態で開示した遮蔽板は何れも回転動作を行うものであったが、勿論引き戸状にスライド動作する態様や、シャッター状に形成するなど、種々の態様を適用し得る。また遮蔽板や屑投入口の配置等の具体的な態様は上記実施形態のものに限定されることはなく、既存のものを含め、種々の態様のものを適用することができる。また上記第３実施形態では細断屑収容領域と屑投入領域とは屑箱によって仕切られる態様としたが勿論、別体の袋のみによって仕切られる態様や、別途板状の部材によって仕切られる態様など、種々の態様を適用しても良い。また本発明に係る細断部並びに屑投入口の配置は、前後何れであっても、左右何れであっても、さらには異なる面に形成したものであっても、何れかを選択し得る構成であれば、種々の配置を適用することが可能である。
【００９３】
その他、各部の具体的構成についても上記実施形態に限られるものではなく、本発明の趣旨を逸脱しない範囲で種々変形が可能である。
【符号の説明】
【００９４】
１…シュレッダ
２…細断部
３…屑投入口
４…屑収容部
４１…細断屑収容領域
４２…屑投入領域
７ｂ…屑案内面
８１…抽斗
８２…屑箱
８７…スリット（前側スリット）
８８…スリット（後側スリット）
Ｘ１…切換機構、細断部動作機構、投入口遮蔽機構（水平スライド機構）
Ｘ２…切換機構、細断部動作機構、投入口遮蔽機構（上下スライド機構）
Ｙ１…切換機構、遮蔽板動作機構（細断口遮蔽機構）
Ｙ２…切換機構、遮蔽板動作機構（排出口遮蔽機構）
Ｐ…屑投入状態
Ｑ…細断状態
【図１】
2011136327.tif 000003
【図２】
2011136327.tif 000004
【図３】
2011136327.tif 000005
【図４】
2011136327.tif 000006
【図５】
2011136327.tif 000007
【図６】
2011136327.tif 000008
【図７】
2011136327.tif 000009
【図８】
2011136327.tif 000010
【図９】
2011136327.tif 000011
【図１０】
2011136327.tif 000012
【図１１】
2011136327.tif 000013
【図１２】
2011136327.tif 000014
【図１３】
2011136327.tif 000015
【図１４】
2011136327.tif 000016
【図１５】
2011136327.tif 000017
【図１６】
2011136327.tif 000018
【図１７】
2011136327.tif 000019
【図１８】
2011136327.tif 000020
【図１９】
2011136327.tif 000021
【図２０】
2011136327.tif 000022
【図２１】
2011136327.tif 000023
【図２２】
2011136327.tif 000024
【図２３】
2011136327.tif 000025
【図２４】
2011136327.tif 000026
【図２５】
2011136327.tif 000027
【図２６】
2011136327.tif 000028